(57)【要約】【課題】低ロールオフ率の受信信号においてもクロック位相の推定精度の低下を防ぐクロック位相推定装置を得ること。【解決手段】受信信号を直交検波した後の信号のうち、クロック位相の推定に使用する信号の同相成分および直交成分に対して個別にリミタ処理を行うリミタ部１と、通常の通信よりもロールオフ率の高いフィルタを用いて波形整形を行うことにより、前記リミタ処理後の各信号から個別にクロック成分を抽出するフィルタ部２，４と、前記フィルタ部２，４により抽出された各クロック成分をそれぞれ２乗する２乗器３，５と、２乗した値を加算してその結果をクロック位相推定用信号とする加算器６と、クロック位相推定用信号に対してＤＦＴ処理を行うＤＦＴ処理部７と、ＤＦＴ処理後の信号に基づいてクロック位相を推定する位相算出部８と、を備える。【選択図】        図２
2010088035.tif 000002
【特許請求の範囲】
【請求項１】
受信信号を直交検波した後の信号のうち、クロック位相の推定に使用する信号の同相成分および直交成分に対して個別にリミタ処理を行うリミタ手段と、
通常の通信よりもロールオフ率の高いフィルタを用いて波形整形を行うことにより、前記リミタ処理後の各信号から個別にクロック成分を抽出するクロック成分抽出手段と、
前記クロック成分抽出手段により抽出された各クロック成分をそれぞれ２乗し、２乗した値を加算してその結果をクロック位相推定用信号とするクロック位相推定用信号算出手段と、
クロック位相推定用信号に基づいてクロック位相を推定する位相推定手段と、
を備えることを特徴とするクロック位相推定装置。
【請求項２】
前記クロック成分抽出手段は、
逆sinc関数により、前記リミタ処理後の信号をインパルス応答系の信号に変換する逆sinc補正フィルタ手段と、
前記変換後の信号を通常の通信よりもロールオフ率が高い信号波形に整形するフル・ロールオフフィルタ手段と、
を備えることを特徴とする請求項１に記載のクロック位相推定装置。
【請求項３】
前記クロック成分抽出手段は、
前記リミタ処理後の信号を通常の通信よりもロールオフ率が高い信号波形に整形するフル・ロールオフフィルタ手段と、
逆sinc関数により、前記整形後の信号をインパルス応答系の信号に変換する逆sinc補正フィルタ手段と、
を備えることを特徴とする請求項１に記載のクロック位相推定装置。
【請求項４】
前記フル・ロールオフフィルタ手段は、ロールオフ率を１とすることを特徴とする請求項２または３に記載のクロック位相推定装置。
【請求項５】
前記位相推定手段は、
クロック位相推定用信号に対してＤＦＴ（Discrete  Fourier  Transform）処理を行うことを特徴とする請求項１〜４のいずれか１つに記載のクロック位相推定装置。
【請求項６】
さらに、
受信信号を直交検波した後の信号に基づいて受信平均電力を求める平均電力算出手段と、
前記受信平均電力に基づいて、前記クロック位相推定用信号算出手段により算出されたクロック位相推定用信号に重み付けを行う重み付け手段と、
を備え、
前記位相推定手段は、前記重み付け後のクロック位相推定用信号に基づいてクロック位相を推定することを特徴とする請求項１〜５のいずれか１つに記載のクロック位相推定装置。
【請求項７】
複数のブランチを備えるダイバーシチ対応の受信装置内のクロック位相推定装置であって、
前記ブランチ毎に、前記リミタ手段と前記クロック成分抽出手段と前記クロック位相推定用信号算出手段と前記平均電力算出手段と前記重み付け手段とを備え、
さらに、
各ブランチにより重み付けされたクロック位相推定用信号を合成する合成手段、
を備え、
前記位相推定手段は、前記合成手段により合成後のクロック位相推定用信号に基づいてクロック位相を推定することを特徴とする請求項６に記載のクロック位相推定装置。
【請求項８】
複数のブランチを備えるダイバーシチ対応の受信装置内のクロック位相推定装置であって、
前記ブランチ毎に、前記リミタ手段と前記クロック成分抽出手段と前記クロック位相推定用信号算出手段とを備え、
さらに、
各ブランチにより算出されたクロック位相推定用信号を合成する合成手段、
を備え、
前記位相推定手段は、前記合成手段により合成後のクロック位相推定用信号に基づいてクロック位相を推定することを特徴とする請求項１〜５のいずれか１つに記載のクロック位相推定装置。
【発明の詳細な説明】
【技術分野】
【０００１】
本発明は、復調に使用するクロックの位相を推定するクロック位相推定装置に関する。
【背景技術】
【０００２】
無線通信システムの受信装置では、変調信号を復調する際に使用するクロックのタイミングを、送信装置で変調した際のクロックのタイミングと同期させる処理が行われている。この処理は、一般的にクロック同期と呼ばれ、クロック同期を実現する技術の一つに、受信したアナログ信号から変調時の位相（以下「クロック位相」とする）を推定し、推定したクロック位相に基づいてクロック同期を確立する技術がある。
【０００３】
具体的には、受信したアナログ信号を増幅後に中間周波数へ周波数変換し、直交検波を行う。ここで、直交検波後のベースバンド信号の同相成分と直交成分の２つの成分をそれぞれ２乗後に加算し、クロック位相推定用信号を得る。その後、クロック位相推定用信号に対してＤＦＴ（Discrete  Fourier  Transform）処理を行って周波数領域の信号を生成し、クロック位相を推定する。このような技術が下記非特許文献１において開示されている。
【０００４】
【非特許文献１】松本洋一、他著  「全ディジタル化高速クロック再生回路の一検討−蓄積型クロック再生法−」電気情報通信学会  信学技報SAT90-31（P.13-18）  図２
【発明の開示】
【発明が解決しようとする課題】
【０００５】
しかしながら、上記従来の技術によれば、クロック位相を推定する際、送受信側の波形整形用フィルタのロールオフ率が小さい場合（低ロールオフ率の場合）、クロック位相の推定精度が低下する、という問題があった。
【０００６】
また、上記低ロールオフ率の受信信号を用いてクロック位相推定を行う場合には、推定精度を向上させるために、クロック位相の推定に使用する受信信号の観測時間（ＤＦＴ処理において使用する積分器で積分する時間）を長くする必要がある。しかしながら、バースト信号等のような離散的な信号の受信時は、信号のない時間にノイズの影響を受けるため、クロック位相の推定精度が低下する、という問題があった。
【０００７】
本発明は、上記に鑑みてなされたものであって、低ロールオフ率の受信信号においても、クロック位相の推定精度の低下を防ぐことが可能なクロック位相推定装置を得ることを目的とする。
【課題を解決するための手段】
【０００８】
上述した課題を解決し、目的を達成するために、本発明は、受信信号を直交検波した後の信号のうち、クロック位相の推定に使用する信号の同相成分および直交成分に対して個別にリミタ処理を行うリミタ手段と、通常の通信よりもロールオフ率の高いフィルタを用いて波形整形を行うことにより、前記リミタ処理後の各信号から個別にクロック成分を抽出するクロック成分抽出手段と、前記クロック成分抽出手段により抽出された各クロック成分をそれぞれ２乗し、２乗した値を加算してその結果をクロック位相推定用信号とするクロック位相推定用信号算出手段と、クロック位相推定用信号に基づいてクロック位相を推定する位相推定手段と、を備えることを特徴とする。
【発明の効果】
【０００９】
この発明によれば、低ロールオフ率の受信信号の場合であってもクロック位相の推定精度の低下を防ぐことができる、という効果を奏する。
【発明を実施するための最良の形態】
【００１０】
以下に、本発明にかかるクロック位相推定装置の実施の形態を図面に基づいて詳細に説明する。なお、この実施の形態によりこの発明が限定されるものではない。
【００１１】
実施の形態１．
最初に、本発明にかかるクロック位相推定装置（クロック位相推定部）を含む受信装置について説明する。図１は、受信装置の構成例を示す図である。この受信装置は、アンテナ部１００と、ＲＦ部１１０と、ＩＦ部１２０と、直交検波部１３０と、クロック位相推定部１４０と、クロック再生部１５０と、検波部１６０と、から構成される。
【００１２】
本実施の形態の受信装置は、アンテナ部１００で信号を受信し、ＲＦ部１１０で受信信号を増幅後、ＩＦ部１２０で増幅後の受信信号を中間周波数に変換し、さらに直交検波部１３０でベースバンド信号に変換する。ベースバンド信号は、同相成分（Ｉｃｈ）と直交成分（Ｑｃｈ）の２つの成分を含む。直交検波部１３０は、ベースバンド信号をクロック位相推定部１４０と検波部１６０へ出力する。クロック位相推定部１４０は、ベースバンド信号から送信装置側のクロック位相の推定を行う。そして、推定されたクロック位相に基づいて、クロック再生部１５０が、検波部１６０におけるデータサンプル抽出のためのクロック再生を行う。なお、本実施の形態では、変調方式としてＱＰＳＫ（Quadrature  Phase  Shift  Keying：４値位相変調）を採用する場合について説明する。ＱＰＳＫでは、振幅成分がデータシンボルの変化に従って変動するため、振幅情報にはクロック成分が含まれる。
【００１３】
つづいて、本実施の形態のクロック位相推定部１４０について説明する。図２は、クロック位相推定部１４０の構成例を示す図である。クロック位相推定部１４０は、リミタ部１と、フィルタ部２と、２乗器３と、フィルタ部４と、２乗器５と、加算器６と、ＤＦＴ（Discrete  Fourier  Transform）処理部７と、位相算出部８から構成される。また、ＤＦＴ処理部７は、乗算器７１と、積分器７２と、乗算器７３と、積分器７４と、を備える。
【００１４】
リミタ部１は、ベースバンド信号の雑音成分を抑圧する。フィルタ部２，４はクロック成分を抽出する。２乗器３は、フィルタ部２出力の同相成分を２乗する。２乗器５は、フィルタ部４出力の直交成分を２乗する。その後、加算器６は、２乗器３および２乗器５で算出された２乗値を加算する。ＤＦＴ処理部７は、加算器６の出力信号に対してＤＦＴ処理を行う。具体的には、乗算器７１が、加算器６の出力信号に対してクロック周波数成分を乗算し、積分器７２が、乗算器７１の出力信号に対して平均化を行いクロックの同相成分（Ｘ）を算出する。また、乗算器７３が、加算器６の出力信号に対してクロック周波数成分を乗算し、積分器７４が、乗算器７３の出力信号に対して平均化を行いクロックの直交成分（Ｙ）を算出する。位相算出部１１は、同相成分（Ｘ）と直交成分（Ｙ）に基づいて位相を算出する。
【００１５】
つづいて、上記のように構成されるクロック位相推定部１４０の動作をより詳細に説明する。リミタ部１は、直交検波部１３０からベースバンド信号の同相成分（Ｉｃｈ）と直交成分（Ｑｃｈ）を入力し、この信号を通過させることにより雑音成分を抑圧する。このとき、リミタ部１を通過した後の信号のコンステレーションは、信号振幅が一定となる。図３は、リミタ部１通過後の信号振幅を示す図である。信号振幅が一定で定包絡線となり、コンステレーションは円状になる。
【００１６】
フィルタ部２は、リミタ部１通過後の信号を入力する。また、フィルタ部４は、リミタ部１通過後の信号を入力する。フィルタ部２，４では、振幅成分が一定となった信号から、クロック成分を抽出する。図４は、フィルタ部２，４の構成例を示す図である。フィルタ部２，４は、同一の構成であり、逆sinc補正フィルタ部２１とフル・ロールオフフィルタ部２２から構成される。逆sinc補正フィルタ部２１は、リミタ部１通過後の信号をインパルス応答系に変換する。フル・ロールオフフィルタ部２２は、逆sinc補正フィルタ部２１において変換後の信号を通常の通信よりもロールオフ率が高い信号波形に整形する。
【００１７】
ここで、ロールオフ率について説明する。図５は、ロールオフ率αを変えたときの周波数スペクトラム形状を示す図である。ロールオフ率αを０〜１まで変化させたものである。ここで「Ｔ」はシンボル周期とする。ロールオフ率αが低い（「０」に近い）ほど、占有する帯域幅が減少し、周波数利用効率は改善する。しかしながら、通過帯域から阻止域に急峻に減衰するため信号波形は理想的なサンプリング点（ナイキスト点）以外でのインパルス応答波形の変動が大きく、また、タイミングジッタによる影響を受けやすく、クロック位相の推定誤差が大きくなる。一方、ロールオフ率αが高い（「１」に近い）ほど、占有する帯域幅が増加し、周波数利用効率は悪化する。しかしながら、通過帯域から阻止域への減衰が緩やかになるため信号波形はナイキスト点以外でのインパルス応答波形の変動が小さく、また、タイミングジッタによる影響を受けにくく、クロック位相の推定誤差が小さくなる。
【００１８】
本実施の形態は、従来から一般的に使用されている受信フィルタの特徴、詳細には、「ロールオフ率αが大きいほど信号波形は緩やかになり、タイミングジッタによる影響を受けにくく、クロック位相の推定誤差が小さくなること」、を利用するものである。すなわち、通常の通信においては、ロールオフ率が低いほど伝送効率が良いため、低いロールオフ率の状態で送受信を行い、クロック位相を推定するときには、クロック位相の推定に使用する信号のみ、通常の通信よりもロールオフ率を高くする波形整形を実施する。これにより、クロック位相の推定誤差が小さくなり、その結果、クロック位相の推定精度の低下を防ぐことができる。
【００１９】
そこで、フル・ロールオフフィルタ部２２では、リミタ部１によって雑音成分を抑圧した振幅成分が一定の信号からクロック成分を抽出するとともに、抽出した信号を擬似的にフル・ロールオフ率αが高い（α＝１またはα＝１に近い）波形に整形することで、クロック位相の推定精度の低下を防ぐ。なお、フル・ロールオフフィルタ部２２の前に、逆sinc補正の特性を有する逆sinc補正フィルタ部２１を設け、リミタ部１のリミタ処理により矩形波となった信号をインパルス応答系に戻す。逆sinc補正フィルタ部２１の周波数スペクトルは式（１）によって表される。
【００２０】
Ｈ（ｆ）＝（πｆＴ）／sin（πｆＴ）                            （１）
（「Ｔ」はシンボル周期）
【００２１】
本実施の形態のクロック位相推定部１４０は、リミタ部１、フィルタ部２，４を備え、上記処理を行うことにより、クロック位相の推定に使用する信号を通常の通信よりもロールオフ率の高い波形に整形する。フィルタ部２，４によるフィルタ処理以降の処理については、従来と同様の処理である。たとえば、２乗器３は、フィルタ部２の出力である同相成分を入力し、２乗値を算出する。また、２乗器５は、フィルタ部４の出力である直交成分を入力し、２乗値を算出する。加算器６は、２乗器３，５からの出力を加算してクロック位相推定用信号を生成する。
【００２２】
その後、ＤＦＴ処理部７は、ＤＦＴ処理を行い、クロック周波数成分に相当する信号の抽出を行う。詳細には、ＤＦＴ処理部７は、加算器６からのクロック位相推定用信号に対して、乗算器７１でクロック周波数成分である「cos（ω・ｋ・Ｔｓ）」を乗算した後、積分器７２で平均化することによりクロックの同相成分（Ｘ）を得る。同様に、加算器６からのクロック位相推定用信号に対して、乗算器７３でクロック周波数成分である「sin（ω・ｋ・Ｔｓ）」を乗算した後、積分器７４で平均化することによりクロックの直交成分（Ｙ）を得る。なお、「ω」は角周波数、「ｋ」はサンプル番号、「Ｔｓ」はサンプル周期とする。最後に、位相算出部８が、同相成分（Ｘ）と直交成分（Ｙ）に基づいて、式（２）よりクロック位相θを算出（推定）し、推定したクロック位相θをクロック再生部１５０へ出力する。
【００２３】
θ＝ｔａｎ-1（Ｙ／Ｘ）                                          （２）
【００２４】
以上説明したように、本実施の形態では、クロック位相推定部において、リミタ処理により雑音成分の抑圧を行い、リミタ通過後の信号を補正して、通常の通信よりもロールオフ率の高いフル・ロールオフ波形の信号に波形整形した後、クロック位相を推定することとした。これにより、低ロールオフ率の受信信号においてもクロック位相の推定精度の低下を防ぐことができる。
【００２５】
また、雑音成分を抑圧することにより、低Ｃ／Ｎ（Carrier  to  Noise  Ratio：搬送波電力対雑音比）の場合においても、クロック位相の推定精度の低下を防ぐことができる。
【００２６】
さらに、クロック位相の推定精度の低下を防ぐことができるので、クロック再生時のタイミングジッタを抑えることが可能となる。また、ナイキスト点に相当するサンプルデータを抽出するときの精度を低下させずに通信品質の劣化を回避できる。
【００２７】
なお、本実施の形態では、加算器６の出力信号であるクロック位相推定用信号に基づいてＤＦＴ処理を実施してクロック位相を推定する方法を説明したが、これに限定するものではない。たとえば、ＤＦＴ以降の処理をゼロクロス法等の処理に置き換えてクロック位相を推定することも可能である。
【００２８】
また、本実施の形態では、変調信号としてＱＰＳＫを例に説明をしたが、これに限定するものではない。たとえば、変調多値数をとる８ＰＳＫ，１６ＱＡＭ（１６  Quadrature  Amplitude  Modulation）等、またはＧＭＳＫ（Gaussian  filtered  Minimum  Shift  Keying）等の定包絡線を有する変調方式においても適用が可能である。
【００２９】
また、本実施の形態では、クロック成分抽出用のフィルタ処理は、逆sinc補正フィルタ処理の後、フル・ロールオフフィルタ処理を行う構成としているが、前記処理の前後関係については特段の規定はない。そのため、フル・ロールオフフィルタ処理の後に、逆sinc補正フィルタ処理を行ってもよい。また、フィルタ処理の削減のため、逆sinc補正フィルタとフル・ロールオフフィルタで使用するインパルス応答を畳み込んだものをフィルタ係数として用いることで、たとえば、１つのＦＩＲ（Finite  Impulse  Response）フィルタで構成してもよい。
【００３０】
実施の形態２．
実施の形態１では受信信号として連続信号を想定して説明したが、本実施の形態では、離散的な信号であるバースト信号を受信する場合について説明する。ここでは、実施の形態１と異なる点について説明する。
【００３１】
図６は、本実施の形態にかかるクロック位相推定部１４０の構成例を示す図である。クロック位相推定部１４０は、２乗器９，１０と、加算器１１と、フィルタ部１２と、乗算器１３と、を備える。２乗器９は、ベースバンド信号の同相成分の２乗値を算出する。２乗器１０は、ベースバンド信号の直交成分の２乗値を算出する。加算器１１は、２乗器９，１０からの２乗値を加算して信号電力を得る。フィルタ部１２は、信号電力を平滑化する。乗算器１３は、クロック位相推定用信号に対して、平滑化後の信号電力に比例した重み付けを行う。その他の構成については、前述した実施の形態１と同様のため説明を省略する。
【００３２】
つづいて、本実施の形態のクロック位相推定部１４０の動作を詳細に説明する。２乗器９は、直交検波部１３０からのベースバンド信号の同相成分（Ｉｃｈ）の２乗値を算出する。また、２乗器１０は、直交成分（Ｑｃｈ）の２乗値を算出する。加算器１１は、２乗器９，１０からの２乗値を加算して受信信号の信号電力を算出する。信号電力には雑音成分が含まれるため、フィルタ部１２は、信号電力の平滑化を行う。平滑化は、たとえば、移動平均フィルタ等の簡易なフィルタリング処理を行うことで実現可能である。乗算器１３は、加算器６から出力されたクロック位相推定用信号に対して、フィルタ部１２から出力された平滑化後の信号電力に比例した重み付けを行う。乗算器１３は、重み付け後のクロック位相推定用信号をＤＦＴ処理部７へ出力する。以降の処理は前述の処理と同様である。
【００３３】
一般的に、バースト信号では、信号の無い（受信していない）期間ではノイズが多くなる。そのため、その期間で算出されるクロック位相推定用信号はノイズの影響を受けるため、このクロック位相推定用信号に基づいてクロック位相の推定をしても精度は低下する。ＤＦＴ処理部７において、積分器７２，７４における積分に要する時間（観測期間）は、バースト信号のシンボルサイズよりも長い。そのため、観測期間には、受信装置が信号を受信している期間と、受信していない期間の両方が存在する。その結果、ＤＦＴ処理は、ノイズの影響を受けたクロック位相推定用信号と、ノイズの影響を受けていないクロック位相推定用信号と、の両方の信号に基づいて行うことになり、全体としてクロック位相の推定精度は低下していた。
【００３４】
そこで、本実施の形態では、加算器６から出力されたクロック位相推定用信号に対して、信号電力を乗算して重み付けを行う。受信装置が信号を受信している期間では信号電力は大きく、信号を受信していない期間では信号電力は小さい。そのため、受信装置が信号を受信している期間においてクロック位相推定用信号に信号電力を乗算した値は、信号を受信していない期間においてクロック位相推定用信号に信号電力を乗算した値よりも大きな値となる。すなわち、信号を受信している期間のクロック位相推定用信号の重みを大きくし、信号を受信していない期間のクロック位相推定用信号の重みを小さくする。これにより、ＤＦＴ処理において、ノイズの影響を受けているクロック位相推定用信号の影響度を小さくすることができ、クロック位相の推定精度の低下を防ぐことができる。
【００３５】
以上説明したように、本実施の形態では、クロック位相を推定するためのクロック位相推定用信号に対して、受信信号の信号電力に比例した重み付けを行うこととした。これにより、バースト信号を受信する場合において、クロック位相の推定精度の低下を防ぐことができる。
【００３６】
また、クロック位相を精度よく推定できるため、クロック位相成分を抽出しやすいようにあらかじめバースト信号にプリアンブルパターン（既知パターン）を挿入する必要が無い。これにより、プリアンブルパターン挿入による伝送効率の低下を防ぐことができる。
【００３７】
実施の形態３．
本実施の形態では、受信装置がダイバーシチ対応の場合について説明する。ダイバーシチ対応の受信装置の各ブランチの構成は、実施の形態２と同様に、クロック位相推定用信号に対して信号電力に比例した重み付けを行う構成とする。ここでは、前述した実施の形態２と異なる点について説明する。
【００３８】
図７は、本実施の形態のクロック位相推定部１４０の構成例を示す図である。このクロック位相推定部１４０は、ブランチ＃１，＃２と、加算器１４と、を備える。ブランチ＃１，＃２は同一の構成であり、実施の形態２におけるＤＦＴ処理部７へ入力する前段までの構成（リミタ部１，フィルタ部２，２乗器３，フィルタ部４，２乗器５，加算器６，２乗器９，１０，加算器１１，フィルタ部１２，乗算器１３）と同一である。加算器１４は、各ブランチにおいて受信信号の信号電力に比例して重み付けが行われたクロック位相推定用信号を合成する。その他の構成については、実施の形態２と同様のため説明を省略する。
【００３９】
つづいて、本実施の形態のクロック位相推定部１４０の動作を詳細に説明する。各ブランチにおいて、実施の形態２と同様に、クロック位相推定用信号に対して受信信号の信号電力に比例した重み付けを実施する。本実施の形態の受信装置は、ダイバーシチ対応のため、ブランチ毎に受信信号の信号電力は異なると考えられる。そのため、信号電力に基づいて重み付けを実施することにより、受信状態のよいブランチのクロック位相推定用信号を重視することができる。
【００４０】
その後、加算器１４は、各ブランチから出力された重み付け後のクロック位相推定用信号を合成する。合成後のクロック位相推定用信号においては、受信状態のよいブランチのクロック位相推定用信号の比率が大きい。加算器１４は、合成後のクロック位相推定用信号をＤＦＴ処理部７へ出力する。以降の処理は前述の処理と同様である。
【００４１】
以上説明したように、本実施の形態では、クロック位相を推定するためのクロック位相推定用信号に対して、ブランチ毎に信号電力に比例した重み付けを行った後に、各ブランチの信号を合成することとした。これにより、受信状態のよいブランチのクロック位相推定用信号を重視してクロック位相の推定を行うことができるため、ダイバーシチ受信時においても、クロック位相の推定精度の低下を防ぐことができる。
【００４２】
なお、本実施の形態では、ブランチが２つの場合を想定して説明したが、これに限定するものではない。加算器１４に入力されるブランチ毎のクロック位相推定用信号を増やすことにより、２ブランチ以上のダイバーシチ受信にも対応することが可能である。
【００４３】
また、本実施の形態では、実施の形態２に基づいて説明したが、実施の形態１のように重み付けをしない場合についても適用することが可能である。
【産業上の利用可能性】
【００４４】
以上のように、本発明にかかるクロック位相推定装置は、復調に使用するクロックの位相の推定する場合に有用であり、特に、低ロールオフ率の信号を受信する受信装置に適している。
【図面の簡単な説明】
【００４５】
【図１】受信装置の構成例を示す図である。
【図２】実施の形態１のクロック位相推定部の構成例を示す図である。
【図３】リミタ部通過後の信号のコンステレーションを示す図である。
【図４】フィルタ部の構成例を示す図である。
【図５】ロールオフ率を変えたときの周波数スペクトラム形状を示す図である。
【図６】実施の形態２のクロック位相推定部の構成例を示す図である。
【図７】実施の形態３のクロック位相推定部の構成例を示す図である。
【符号の説明】
【００４６】
１  リミタ部
２，４，１２  フィルタ部
３，５，９，１０  ２乗器
６，１１，１４  加算器
７  ＤＦＴ処理部
８  位相算出部
１３，７１，７３  乗算器
７２，７４  積分器
１００  アンテナ部
１１０  ＲＦ部
１２０  ＩＦ部
１３０  直交検波部
１４０  クロック位相推定部
１５０  クロック再生部
１６０  検波部
【図１】
2010088035.tif 000003
【図２】
2010088035.tif 000004
【図３】
2010088035.tif 000005
【図４】
2010088035.tif 000006
【図５】
2010088035.tif 000007
【図６】
2010088035.tif 000008
【図７】
2010088035.tif 000009